(57)【要約】【課題】複数の電子マネー決済手段から割引後の決済金額が最も安い電子マネー決済手段を選択して決済処理を行う電子マネー決済処理方法及び電子マネー決済処理システムを提供する。【解決手段】ユーザが購入を希望する商品のバーコードをＰＯＳ装置４で読み取り（Ｓ１）、更に、携帯電話機２の備える複数の電子マネー決済手段を識別し（Ｓ４）、識別された複数の電子マネー決済手段毎に予め定められた割引後の決済金額を比較するとともに、最も割引後の決済金額の安い電子マネー決済手段を選択し（Ｓ８）、選択された電子マネー決済手段により決済を行う（Ｓ１０３）ように構成する。【選択図】図６
2008134890.tif 000002
【特許請求の範囲】
【請求項１】
複数の電子マネー決済手段の内、いずれか一の電子マネー決済手段を用いて決済処理を行う電子マネー決済処理方法であって、
決済金額を取得する金額取得ステップと、
前記複数の電子マネー決済手段を識別する決済手段識別ステップと、
決済金額の割引率と各電子マネー決済手段との対応関係を特定する決済手段割引率情報を参照することにより、前記識別された各電子マネー決済手段における割引後の決済金額を比較する金額比較ステップと、
最も安い割引後の決済金額に対応する電子マネー決済手段を選択する決済手段選択ステップと、
前記取得した決済金額の決済処理を前記選択された電子マネー決済手段で行う決済処理ステップと、を有することを特徴とする電子マネー決済処理方法。
【請求項２】
前記複数の電子マネー決済手段はそれぞれ異なる種類の電子マネー情報を有する電子マネー媒体であることを特徴とする請求項１に記載の電子マネー決済処理方法。
【請求項３】
前記電子マネー媒体は各電子マネー情報毎にアクセスキーを有し、
前記決済手段識別ステップは、
前記アクセスキーの認証を行う認証ステップを備え、
前記認証ステップによる認証に成功した電子マネー情報に基づいて前記複数の電子マネー決済手段を識別することを特徴とする請求項２に記載の電子マネー決済処理方法。
【請求項４】
前記複数の電子マネー決済手段は携帯端末に設けられていることを特徴とする請求項１乃至請求項３のいずれかに記載の電子マネー決済処理方法。
【請求項５】
電子マネー情報が記憶された複数の電子マネー決済手段と、前記電子マネー決済手段に記憶された電子マネー情報を読み取ることにより商品決済を行う決済端末装置と、を有する電子マネー決済処理システムであって、
前記決済端末装置は、
決済金額を取得する金額取得手段と、
前記複数の電子マネー決済手段を識別する決済手段識別手段と、
決済金額の割引率と各電子マネー決済手段との対応関係を特定する決済手段割引率情報を記憶する情報記憶手段と、
前記決済手段割引率情報を参照することにより前記識別された各電子マネー決済手段における割引後の決済金額を比較する金額比較手段と、
最も安い割引後の決済金額に対応する電子マネー決済手段を選択する決済手段選択手段と、
前記取得した決済金額の決済処理を前記選択された電子マネー決済手段で行う決済処理手段と、を有することを特徴とする電子マネー決済処理システム。
【請求項６】
前記複数の電子マネー決済手段はそれぞれ異なる種類の電子マネー情報を有する電子マネー媒体であることを特徴とする請求項５に記載の電子マネー決済処理システム。
【請求項７】
前記電子マネー媒体は各電子マネー情報毎にアクセスキーを有し、
前記決済手段識別手段は、
前記アクセスキーの認証を行う認証手段を備え、
前記認証手段による認証に成功した電子マネー情報に基づいて前記複数の電子マネー決済手段を識別することを特徴とする請求項６に記載の電子マネー決済処理システム。
【請求項８】
前記複数の電子マネー決済手段は携帯端末に設けられていることを特徴とする請求項５乃至請求項７のいずれかに記載の電子マネー決済処理システム。
【発明の詳細な説明】
【技術分野】
【０００１】
本発明は、電子マネーカードや携帯電話機等が備える電子マネー決済手段を用いて決済処理を行う電子マネー決済処理方法及び電子マネー決済処理システムに関し、特に、複数の電子マネー決済手段から割引後の決済金額が最も安い電子マネー決済手段を選択して決済処理を行う電子マネー決済処理方法及び電子マネー決済処理システムに関する。
【背景技術】
【０００２】
従来より現金の代用として、所定の電子情報を個人情報とともにＩＣカード、クレジットカード、デビットカード、スーパーカード、携帯電話機等に記憶させ、その電子情報の交換によって支払いを行う決済処理システムがある。また、特に電子マネー情報を予めメモリに記憶させ、記憶された電子マネー情報を用いて決済を行う電子マネー決済手段については、従来より複数種類あることが知られている。例えば、Ｅｄｙ（登録商標）やＳｕｉｃａ（登録商標）等である。
【０００３】
その一方で、携帯電話機等の携帯端末は、単なる音声通話用の道具から、メッセージの送受信やインターネットのウェブブラウザなどの情報端末として用途が広がっている。そして、近年では携帯端末の普及率が非常に高く、ユーザは携帯端末を常に持ち歩いて外出することが一般である。そこで、携帯端末に上記の電子マネー決済の機能を持たせる事により、カード等を持参せずに電子決済を行うようにすることが提案されている。更に、携帯端末においては複数のプログラムをインストールすることによって、複数種類の電子マネー決済手段を同時に備えることも可能となっている。
【０００４】
例えば、特開２００４−２５９１５２号公報には携帯電話機に搭載したＩＣチップに対してクレジット決済、デビット決済、電子マネー決済を行うのに必要な情報が格納され、決済金額に基づいて使用する決済手段を選択して決済を行う電子マネー決済処理方法について記載されている。
【特許文献１】特開２００４−２５９１５２号公報（第８頁、図３）
【発明の開示】
【発明が解決しようとする課題】
【０００５】
ここで、各電子マネー情報を用いた電子マネー決済においては、該当する電子マネー情報を用いて決済を行うと、決済金額を所定割合だけ割り引くサービスについても行われている。従って、ユーザは割引後の決済金額が最も安い電子マネー情報を用いて決済を行うことを希望するのが一般である。しかしながら、上記特許文献１に記載の電子マネー決済処理方法では割引金額については一切考慮されないので、最も安い電子マネー情報を用いて決済を行うためには、ユーザ自らが割引後の決済金額を比較し、使用する電子マネー情報を選択しなければならなかった。
【０００６】
本発明は、前記従来の問題点を解消するためになされたものであり、複数の電子マネー決済手段から決済に用いる電子マネー決済手段を選択する際に、ユーザ自らが各電子マネー決済手段の決済金額の比較を行う必要なく、最も安い割引後の決済金額により迅速に決済を行うことが可能となり、ユーザの利便性を向上させた電子マネー決済処理方法及び電子マネー決済処理システムを提供することを目的とする。
【課題を解決するための手段】
【０００７】
前記目的を達成するため請求項１に係る電子マネー決済処理方法は、複数の電子マネー決済手段の内、いずれか一の電子マネー決済手段を用いて決済処理を行う電子マネー決済処理方法であって、決済金額を取得する金額取得ステップと、前記複数の電子マネー決済手段を識別する決済手段識別ステップと、決済金額の割引率と各電子マネー決済手段との対応関係を特定する決済手段割引率情報を参照することにより、前記識別された各電子マネー決済手段における割引後の決済金額を比較する金額比較ステップと、最も安い割引後の決済金額に対応する電子マネー決済手段を選択する決済手段選択ステップと、前記取得した決済金額の決済処理を前記選択された電子マネー決済手段で行う決済処理ステップと、を有することを特徴とする。
【０００８】
また、請求項２に係る電子マネー決済処理方法は、請求項１に記載の電子マネー決済処理方法において、前記複数の電子マネー決済手段はそれぞれ異なる種類の電子マネー情報を有する電子マネー媒体であることを特徴とする。
【０００９】
また、請求項３に係る電子マネー決済処理方法は、請求項２に記載の電子マネー決済処理方法において、前記電子マネー媒体は各電子マネー情報毎にアクセスキーを有し、前記決済手段識別ステップは、前記アクセスキーの認証を行う認証ステップを備え、前記認証ステップによる認証に成功した電子マネー情報に基づいて前記複数の電子マネー決済手段を識別することを特徴とする。
【００１０】
また、請求項４に係る電子マネー決済処理方法は、請求項１乃至請求項３のいずれかに記載の電子マネー決済処理方法において、前記複数の電子マネー決済手段は携帯端末に設けられていることを特徴とする。
【００１１】
また、請求項５に係る電子マネー決済処理システムは、電子マネー情報が記憶された複数の電子マネー決済手段と、前記電子マネー決済手段に記憶された電子マネー情報を読み取ることにより商品決済を行う決済端末装置と、を有する電子マネー決済処理システムであって、前記決済端末装置は、決済金額を取得する金額取得手段と、前記複数の電子マネー決済手段を識別する決済手段識別手段と、決済金額の割引率と各電子マネー決済手段との対応関係を特定する決済手段割引率情報を記憶する情報記憶手段と、前記決済手段割引率情報を参照することにより前記識別された各電子マネー決済手段における割引後の決済金額を比較する金額比較手段と、最も安い割引後の決済金額に対応する電子マネー決済手段を選択する決済手段選択手段と、前記取得した決済金額の決済処理を前記選択された電子マネー決済手段で行う決済処理手段と、を有することを特徴とする。
【００１２】
また、請求項６に係る電子マネー決済処理システムは、請求項５に記載の電子マネー決済処理システムにおいて、前記複数の電子マネー決済手段はそれぞれ異なる種類の電子マネー情報を有する電子マネー媒体であることを特徴とする。
【００１３】
また、請求項７に係る電子マネー決済処理システムは、請求項６に記載の電子マネー決済処理システムにおいて、前記電子マネー媒体は各電子マネー情報毎にアクセスキーを有し、前記決済手段識別手段は、前記アクセスキーの認証を行う認証手段を備え、前記認証手段による認証に成功した電子マネー情報に基づいて前記複数の電子マネー決済手段を識別することを特徴とする。
【００１４】
また、請求項８に係る電子マネー決済処理システムは、請求項５乃至請求項７のいすれかに記載の電子マネー決済処理システムにおいて、前記複数の電子マネー決済手段は携帯端末に設けられていることを特徴とする。
【発明の効果】
【００１５】
請求項１に係る電子マネー決済処理方法では、識別された各電子マネー決済手段における割引後の決済金額が最も安い電子マネー決済手段を選択し、選択された電子マネー決済手段により決済処理を行う。それにより、ユーザ自らが各電子マネー決済手段の決済金額の比較を行う必要なく、最も安い割引後の決済金額により迅速に決済を行うことが可能となる。従って、ユーザの利便性が向上する。
【００１６】
また、請求項２に係る電子マネー決済処理方法では、複数の電子マネー決済手段はそれぞれ異なる種類の電子マネー情報を有する複数の電子マネー媒体である。それにより、Ｅｄｙ（登録商標）やＳｕｉｃａ（登録商標）等の複数種類の電子マネー決済手段から決済に用いる電子マネー決済手段を選択する際に、ユーザ自らが各電子マネー決済手段の決済金額の比較を行う必要なく、最も安い割引後の決済金額により迅速に決済を行うことが可能となる。
【００１７】
また、請求項３に係る電子マネー決済処理方法では、アクセスキーの認証を行い、認証に成功した電子マネー情報に基づいて前記複数の電子マネー決済手段を識別するので、アクセスキーを用いた高いセキュリティ機能を備えた電子マネー決済を行うことが可能となる。
【００１８】
また、請求項４に係る電子マネー決済処理方法では、電子マネー決済手段は携帯端末に設けられているので、ユーザはＩＣカード等を持ち歩く必要なく携帯端末を用いて電子マネーによる決済を行うことが可能となる。
【００１９】
また、請求項５に係る電子マネー決済処理システムでは、識別された各電子マネー決済手段における割引後の決済金額が最も安い電子マネー決済手段を選択し、選択された電子マネー決済手段により決済処理を行うので、ユーザ自らが各電子マネー決済手段の決済金額の比較を行う必要なく、最も安い割引後の決済金額により迅速に決済を行うことが可能となる。従って、ユーザの利便性が向上する。
【００２０】
また、請求項６に係る電子マネー決済処理システムでは、複数の電子マネー決済手段はそれぞれ異なる種類の電子マネー情報を有する電子マネー媒体であるので、Ｅｄｙ（登録商標）やＳｕｉｃａ（登録商標）等の複数種類の電子マネー決済手段から決済に用いる電子マネー決済手段を選択する際に、ユーザ自らが各電子マネー決済手段の決済金額の比較を行う必要なく、最も安い割引後の決済金額により迅速に決済を行うことが可能となる。
【００２１】
また、請求項７に係る電子マネー決済処理システムでは、アクセスキーの認証を行い、認証に成功した電子マネー情報に基づいて前記複数の電子マネー決済手段を識別するので、アクセスキーを用いた高いセキュリティ機能を備えた電子マネー決済を行うことが可能となる。
【００２２】
更に、請求項８に係る電子マネー決済処理システムでは、電子マネー決済手段は携帯端末に設けられているので、ユーザはＩＣカード等を持ち歩く必要なく携帯端末を用いて電子マネーによる決済を行うことが可能となる。
【発明を実施するための最良の形態】
【００２３】
以下、本発明に係る電子マネー決済処理方法及び電子マネー決済処理システムについて具体化した実施形態に基づき図面を参照しつつ詳細に説明する。先ず、本実施形態に係る電子マネー決済処理システムの概略構成について図１に基づき説明する。図１は本実施形態に係る電子マネー決済処理システムの概略構成を示す図である。
【００２４】
図１に示すように、本実施形態に係る電子マネー決済処理システム１は、複数の電子マネー決済手段を備えた携帯電話機２と、コンビニ等の店舗内に配設され、携帯電話機２に内蔵されたＩＣタグ３の電子マネー情報の読み取り及び書き込みを行うことにより商品の決済（取引）を行うＰＯＳ（Point Of Sales System）装置４と、商品の決済金額に関する情報が格納された決済情報ＤＢ５と、から基本的に構成されている。尚、携帯電話機２の備える複数の電子マネー決済手段は、所謂Ｅｄｙ（登録商標）やＳｕｉｃａ（登録商標）等と呼ばれる電子マネーによる決済を行う為の決済手段であり、電子マネーの種別や電子マネー残金等の電子マネーに関する情報（以下、電子マネー情報という）を有するＩＣタグ３によって構成される。
【００２５】
ここで、携帯電話機２にはＩＣタグ３が内蔵されており、更にＩＣタグ３はＩＣチップとアンテナとから構成される。
また、ＩＣチップは複数種類（本実施形態では３種類）の電子マネー決済手段に用いる各電子マネー情報Ａ〜Ｃと、各電子マネー情報Ａ〜Ｃに対応する認証用のアクセスキーを記録する記録手段である。そして、ＩＣタグ３に同じく内蔵されたアンテナによって、表面上にＩＣチップを露出させることなく、携帯電話機２とＰＯＳ装置４との間で無線通信することが可能に構成されている。
【００２６】
一方、ＰＯＳ装置４はＩＣリーダライタ６を備え、ＩＣタグ３内に設けられたアンテナを介して携帯電話機２との間で無線通信を行い、ＩＣタグ３に記憶された電子マネー情報の読み取り及び書き込みを行う。また、ＰＯＳ装置４は電子マネー情報の認証及び識別を行う為のアクセスキーを備えている。そして、ＩＣタグ３に記憶された複数の電子マネー情報毎に対応するアクセスキーと認証を行い、認証に成功した場合に認証に成功した電子マネー情報の読み取り及び書き込みが可能となる。
【００２７】
また、決済情報ＤＢ５はＨＤＤ（ハードディスクドライブ）等の記憶媒体から構成され、店舗内で販売されている商品の識別ＩＤ、商品名、商品価格等が対応付けられて記憶されている（図４参照）。更に、本実施形態に係る決済情報ＤＢ５は各商品における複数の電子マネー決済手段毎の決済金額の割引情報についても記憶されている（図５参照）。また、ＰＯＳ装置４と決済情報ＤＢ５とはＬＡＮや無線回線等の通信回線７によって双方向通信可能に接続されている。
【００２８】
そして、本実施形態に係る電子マネー決済処理システム１による電子マネー決済処理方法について簡単に説明する。先ず、ユーザは専用の装置により、予めＩＣタグ３内の各電子マネー情報の残金をチャージしておく。その後、ＰＯＳ装置４が設置された店舗においてユーザが購入する商品のバーコードをＰＯＳ装置４で読み取らせることによって、ＰＯＳ装置４はその商品の価格（決済金額）と各電子マネー情報の割引情報を決済情報ＤＢ５から取得する。続いて、携帯電話機２をＩＣリーダライタ６に所定距離まで接近させる。すると、ＰＯＳ装置４は携帯電話機２の備える複数の電子マネー決済手段から、購入商品の割引後の決済金額が最も安くなる電子マネー決済手段を自動的に選択し、選択された電子マネー決済手段の電子マネー情報の残金を割引後の決済金額が引かれた金額へと更新する。それによって、商品の決済が完了する。
【００２９】
次に、電子マネー決済処理システム１の機能ブロック図について図２を用いて詳細に説明する。図２は本実施形態に係る電子マネー決済処理システム１の機能ブロック図である。
【００３０】
先ず、電子マネー決済処理システム１を構成する携帯電話機２について説明すると、図２に示されるように、携帯電話機２は処理制御部２１、通信制御部２２、電子マネー情報記憶部２３等を備える。そして、これら機能部の内、処理制御部２１及び通信制御部２２は携帯電話機２の備える中央演算処理装置（ＣＰＵ）が同じく携帯電話機２の備えるＲＡＭやＲＯＭ等に記憶されたプログラムを実行することにより実現される。また、電子マネー情報記憶部２３はＩＣタグ３内のＩＣチップに設けられる。
【００３１】
ここで、処理制御部２１は携帯電話機２の全体の制御を行う機能部である。具体的には通信制御部２２を介して取得した商品の決済金額等の情報に基づいて、電子マネー情報記憶部２３に記憶された電子マネー情報Ａ〜Ｃの更新処理を行う。
【００３２】
また、通信制御部２２はＩＣタグ３内に内蔵されたアンテナを用いてＰＯＳ装置４との間で通信制御を行う機能部である。具体的には電子マネー情報記憶部２３に記憶された電子マネー情報Ａ〜Ｃに関する情報をＰＯＳ装置４に対して送信したり、ＰＯＳ装置４から送信された商品の決済金額等の情報を受信する。
【００３３】
また、電子マネー情報記憶部２３は携帯電話機２の備える複数の電子マネー決済手段に用いる複数種類の電子マネー情報（本実施形態では電子マネー情報Ａ〜Ｃの３種類）や、各電子マネー情報の認証に用いるアクセスキー等が記憶されている。更に、電子マネー情報Ａ〜Ｃとしては電子マネー情報の種別や決済に使用可能な電子マネー残金に関する情報がある。そして、この電子マネー残金は商品の決済を行うことによって、その決済金額だけ減額され、ユーザがチャージを行うことによって、そのチャージ金額分だけ増額される。
ここで、図３は電子マネー情報記憶部２３の記憶領域の一例を示した図である。図３に示すように本実施形態に係る電子マネー情報記憶部２３には、電子マネー決済に用いる３種類の電子マネー情報Ａ〜Ｃとして、電子マネー情報の種別と電子マネー残金がそれぞれ記憶されている。例えば、図３に示す電子マネー情報Ａの残金は３０００円であり、電子マネー情報Ａによる電子マネー決済手段は３０００円以内の決済に用いることが可能である。
【００３４】
次に、図２に戻り、電子マネー決済処理システム１を構成するＰＯＳ装置４について説明する。図２に示されるように、ＰＯＳ装置４は処理制御部４１、通信制御部４２、電子マネー情報記憶部４３、割引金額計算部４４、支払い選択部４５、残高計算部４６、データ入力部４７、データ出力部４８等を備える。そして、これら機能部の内、処理制御部４１、通信制御部４２、割引金額計算部４４、支払い選択部４５及び残高計算部４６はＰＯＳ装置４の備える中央演算処理装置（ＣＰＵ）が同じくＰＯＳ装置４の備えるＲＡＭやＲＯＭ等に記憶されたプログラムを実行することにより実現される。また、電子マネー情報記憶部４３はＰＯＳ装置４の備えるＲＡＭに設けられる。また、データ入力部４７はＰＯＳ装置４の備えるキーボードやバーコードリーダによって構成される。更に、データ出力部４８はＰＯＳ装置４の備える液晶ディスプレイによって構成される。
【００３５】
ここで、処理制御部４１はＰＯＳ装置４の全体の制御を行う機能部である。具体的には各機能部４４〜４６を制御することによって、通信制御部４２を介して取得した電子マネー情報や決済情報ＤＢ５から取得した商品の情報を各機能部４４〜４６に基づいて支払いを行う電子マネー決済手段を選択したり、電子マネー情報の残金を計算したりする。また、データ入力部４７から入力されたバーコード情報に基づいて決済金額を計算したり、計算された決済金額をデータ出力部４８に出力したりする。
【００３６】
また、通信制御部４２は携帯電話機２との間で通信制御を行う機能部である。具体的には電子マネー情報記憶部２３に記憶された電子マネー情報Ａ〜Ｃに関する情報を携帯電話機２から受信したり、商品の決済金額等の情報を携帯電話機２へと送信する。
【００３７】
また、電子マネー情報記憶部４３は携帯電話機２の備える複数種類の電子マネー情報（本実施形態では電子マネー情報Ａ〜Ｃの３種類）の内、アクセスキーによる認証に成功した電子マネー情報の電子マネー残金に関する情報が記憶される。
【００３８】
また、割引金額計算部４４は認証に成功した電子マネー情報毎に商品の割引後の決済金額を計算する機能部である。具体的にはデータ入力部４７から入力された商品のバーコード情報と、値段記憶部５１及び割引率記憶部５２に記憶された商品の価格及び割引率から割引後の決済金額を電子マネー情報毎に計算する。
【００３９】
また、支払い選択部４５は認証に成功した電子マネー情報から決済を行う電子マネー情報（即ち、決済を行う電子マネー決済手段の種別）を選択する機能部である。具体的には割引金額計算部４４によって算出された割引後の決済金額を電子マネー情報毎に比較し、最も金額の安い電子マネー情報を決済に用いる電子マネー情報（即ち、その電子マネー情報を用いる電子マネー決済手段を決済に用いる電子マネー決済手段）として選択する。
【００４０】
また、残高計算部４６は決済を行う電子マネー情報について決済後の電子マネー残金を計算する機能部である。具体的には支払い選択部４５によって選択された電子マネー情報の決済前の電子マネー残金から割引金額計算部４４によって算出された割引後の決済金額を差し引いた額を決済後の電子マネー残金として算出する。
【００４１】
続いて、電子マネー決済処理システム１を構成する決済情報ＤＢ５について説明する。図２に示されるように、ＰＯＳ装置４は値段記憶部５１、割引率記憶部５２を備える。そして、値段記憶部５１や割引率記憶部５２は決済情報ＤＢ５の備えるＨＤＤに設けられる。
【００４２】
ここで、値段記憶部５１はＰＯＳ装置４が設置された店舗内にある商品の情報が記憶される記憶手段である。図４は値段記憶部５１の記憶領域の一例を示した図である。図４に示すように本実施形態に係る値段記憶部５１には、店舗内にある商品の情報として、商品を識別する商品ＩＤと商品名と商品の価格がそれぞれ記憶されている。そして、ＰＯＳ装置４の備えるバーコードリーダによって商品から商品ＩＤを読み取ると、その商品名と価格を特定することが可能となる。例えば、商品ＩＤ「4901777119314」であれば、商品名が「お茶」で価格は「１４０円」であることが特定される。
【００４３】
また、割引率記憶部５２は各電子マネー情報Ａ〜Ｃを用いた電子マネー決済手段毎の割引情報が記憶される記憶手段である。図５は割引率記憶部５２の記憶領域の一例を示した図である。図５に示すように本実施形態に係る割引率記憶部５２には、店舗内にある商品毎に、商品ＩＤと、商品名と、電子マネー情報の種別と、各電子マネー情報に対応する割引率とがそれぞれ記憶されている。そして、ＰＯＳ装置４の備えるバーコードリーダによって商品から商品ＩＤを読み取ると、その商品の電子マネー情報毎の割引率を特定することが可能となる。例えば、商品ＩＤ「4901777119314」であれば、商品名が「お茶」で電子マネー情報Ａによる割引率が「５％」、電子マネー情報Ｂによる割引率が「１０％」、電子マネー情報Ｃによる割引率が「３％」であることが特定される。
【００４４】
続いて、前記構成を有する電子マネー決済処理システム１の携帯電話機２、ＰＯＳ装置４が実行する電子マネー決済処理プログラムについて図６に基づき説明する。ここで、電子マネー決済処理プログラムは、携帯電話機２が備える複数の電子マネー決済手段により商品の決済を行う際に、割引後の決済金額が最も安くなる電子マネー決済手段を自動的に選択して電子マネーによる決済を行う処理プログラムである。図６は本実施形態に係る電子マネー決済処理システム１の携帯電話機２及びＰＯＳ装置４が実行する電子マネー決済処理プログラムのフローチャートである。
【００４５】
先ず、図６に基づいてＰＯＳ装置４のＣＰＵが実行する電子マネー決済処理プログラムについて説明する。
電子マネー決済処理プログラムにおいて、ＰＯＳ装置４のＣＰＵは先ずステップ（以下、Ｓとする）１で、バーコードリーダ等からなるデータ入力部４７によりユーザが購入を希望する商品に付されたバーコードを読み取り、商品ＩＤを検出する。
【００４６】
次に、Ｓ２でＣＰＵは前記Ｓ１で読み取ったバーコード情報に基づいて検出された商品ＩＤに対応する商品名と商品の価格とを決済情報ＤＢ５の値段記憶部５１（図４参照）から取得する。
【００４７】
続いて、Ｓ３でＣＰＵは液晶ディスプレイ等からなるデータ出力部４８に対して、前記Ｓ２で取得した商品名と商品の価格とを出力する。それによって、ユーザ及び店員は購入する商品名と価格とをそれぞれ把握することが可能となる。
【００４８】
また、Ｓ４でＣＰＵはＲＡＭ又はＲＯＭに記憶されたアクセスキーを用いて携帯電話機２の備える各電子マネー決済手段に対して認証処理を行い、携帯電話機２が備える各電子マネー決済手段の種類の識別を行う。具体的には、ＩＣタグ３に記憶された各電子マネー情報Ａ〜Ｃに対応するアクセスキーと認証を行い、認証に成功したアクセスキーに基づいて携帯電話機２の備える電子マネー決済手段及び電子マネー情報の種類を識別する。尚、アクセスキーによる認証は、携帯電話機２が備える複数種類の電子マネー情報に対して一度に行っても良いし、順に行うようにしても良い。
【００４９】
そして、Ｓ５では携帯電話機２から送信された電子マネー情報を受信する。ここで、携帯電話機２から送信される電子マネー情報は、前記Ｓ４で認証に成功して種類が識別された電子マネー情報であり、電子マネー情報の種別と残金に関する情報とを含む。
【００５０】
次に、Ｓ６でＣＰＵは前記Ｓ５で受信した電子マネー情報の種別と残金に関する情報を電子マネー情報記憶部４３に対して格納する。
【００５１】
続いて、Ｓ７でＣＰＵは前記Ｓ６で格納された前記Ｓ１で検出された商品ＩＤと、前記Ｓ５で受信した電子マネー情報から、ユーザが購入する商品の割引率を割引率記憶部５２（図５参照）から取得し、各電子マネー情報における割引後の決済金額を算出する。例えば、ユーザが図４及び図５に示す商品「お茶」を電子マネー情報Ａ〜Ｃのいずれかで購入する場合には、電子マネー情報Ａでは１３３円、電子マネー情報Ｂでは１２６円、電子マネー情報Ｃでは１３６円がそれぞれ算出される。
【００５２】
そして、Ｓ８でＣＰＵは、前記Ｓ７で算出された割引後の決済金額を比較して、最も安い電子マネー情報を選択する。例えば、ユーザが図４及び図５に示す商品「お茶」を電子マネー情報Ａ〜Ｃのいずれかで購入する場合には、割引後の決済金額が最も安い１２６円である電子マネー情報Ｂが選択される。
【００５３】
更に、Ｓ９でＣＰＵは、前記Ｓ８で選択された電子マネー情報で商品を購入した場合における決済後の電子マネー残金を算出する。具体的には、前記Ｓ５で受信した電子マネー情報の残金から前記Ｓ７で算出された割引後の決済金額を差し引いた額が決済後の電子マネー残金となる。
【００５４】
続いて、Ｓ１０でＣＰＵは液晶ディスプレイ等からなるデータ出力部４８に対して、前記Ｓ８で選択された電子マネー情報の種別と、前記Ｓ９で算出された決済後の電子マネー残金とを出力する。それによって、ユーザ及び店員は使用する電子マネー決済手段の種別と決済金額とをそれぞれ把握することが可能となる。
【００５５】
その後、Ｓ１１でＣＰＵは携帯電話機２に対して、前記Ｓ８で選択された電子マネー情報の種別と、前記Ｓ９で算出された決済後の電子マネー残金とを送信する。それによって、携帯電話機２は後述するように電子マネー情報記憶部２３の更新を行い、決済処理が終了する。
【００５６】
次に、図６に基づいて携帯電話機２のＣＰＵが実行する電子マネー決済処理プログラムについて説明する。
電子マネー決済処理プログラムにおいて、携帯電話機２のＣＰＵは先ずＳ１０１で、ＰＯＳ装置４に対して電子マネー情報を送信する。ここで、携帯電話機２から送信される電子マネー情報は、ＰＯＳ装置４が前記Ｓ４で認証に成功した電子マネー情報であり、電子マネー情報の種別と残金に関する情報とを含む。
【００５７】
続いて、Ｓ１０２でＣＰＵは、前記Ｓ１１においてＰＯＳ装置４から送信された決済に用いる電子マネー情報の種別と、決済後の電子マネー残金とを受信する。その後、Ｓ１０３で電子マネー情報記憶部２３に記憶された電子マネー情報の内、決済に使用する電子マネー情報の電子マネー残金を前記Ｓ１０２で受信した決済後の電子マネー残金へと更新する。それによって、電子マネーによる決済処理が終了する。
【００５８】
以上説明した通り本実施形態に係る電子マネー決済処理システム１及び電子マネー決済処理方法では、ユーザが購入を希望する商品のバーコードをＰＯＳ装置４で読み取り（Ｓ１）、更に、携帯電話機２の備える複数の電子マネー決済手段を識別する（Ｓ４）。識別された複数の電子マネー決済手段毎に予め定められた割引後の決済金額を比較するとともに、最も割引後の決済金額の安い電子マネー決済手段を選択し（Ｓ８）、選択された電子マネー決済手段により決済を行う（Ｓ１０３）。それにより、Ｅｄｙ（登録商標）やＳｕｉｃａ（登録商標）等の複数種類の電子マネー決済手段から決済に用いる電子マネー決済手段を選択する際に、ユーザ自らが各電子マネー決済手段の決済金額の比較を行う必要なく、最も安い割引後の決済金額により迅速に決済を行うことが可能となる。従って、ユーザの利便性が向上する。
また、ＰＯＳ装置４はアクセスキーの認証を行い、認証に成功した電子マネー情報に基づいて前記複数の電子マネー決済手段を識別する（Ｓ４）ので、アクセスキーを用いた高いセキュリティ機能を備えた電子マネー決済を行うことが可能となる。
また、電子マネー決済手段は携帯端末に設けられているので、ユーザはＩＣカード等を持ち歩く必要なく携帯端末を用いて電子マネーによる決済を行うことが可能となる。
【００５９】
尚、本発明は前記実施例に限定されるものではなく、本発明の要旨を逸脱しない範囲内で種々の改良、変形が可能であることは勿論である。
例えば、割引後の決済金額を比較して最も安い決済金額となった電子マネー決済手段を自動的に選択して決済を行うように構成する替わりに、液晶ディスプレイに対して各電子マネー決済手段の割引後の決済金額の一覧を表示し、その後にユーザに選択させるようにしても良い。
【００６０】
また、本実施形態では複数の電子マネー決済手段を携帯電話機２に対して設けることとしているが、ＩＣタグを内蔵した一枚のＩＣカードに対して複数の電子マネー決済手段を設けることとしても良い。更に、ＰＤＡ（Personal Digital Assistants）や携帯型の音楽プレイヤー等に設けるようにしても良い。
【図面の簡単な説明】
【００６１】
【図１】本実施形態に係る電子マネー決済処理システムの概略構成を示す図である。
【図２】本実施形態に係る電子マネー決済処理システムのシステムブロック図である。
【図３】本実施形態に係る電子マネー情報記憶部の記憶領域の一例を示した図である。
【図４】本実施形態に係る値段記憶部の記憶領域の一例を示した図である。
【図５】本実施形態に係る割引率記憶部の記憶領域の一例を示した図である。
【図６】本実施形態に係る電子マネー決済処理システムの携帯電話機及びＰＯＳ装置が実行する電子マネー決済処理プログラムのフローチャートである。
【符号の説明】
【００６２】
１              電子マネー決済処理システム
２              携帯電話機
３              ＩＣタグ
４              ＰＯＳ装置
５              決済情報ＤＢ
２１、４１      処理制御部
２３            電子マネー情報記憶部
４３            電子マネー情報記憶部
５１            値段記憶部
５２            割引率記憶部
【図１】
2008134890.tif 000003
【図２】
2008134890.tif 000004
【図３】
2008134890.tif 000005
【図４】
2008134890.tif 000006
【図５】
2008134890.tif 000007
【図６】
2008134890.tif 000008